(57)【要約】【課題】未定着トナー像を加熱加圧して転写材に定着させる定着装置において、加熱回転体の周面の幅方向に生じる温度差を低減するともに、加熱回転体を効率よく加熱し、ウオームアップ時間を短縮する。【解決手段】  加熱回転体２１の内部に内蔵加熱源２３を配置し、外側には、この内蔵加熱源２３の加熱範囲よりも狭い範囲を加熱する外部加熱源２４を配置する。そして、加熱回転体２１の外周面上において、外部加熱源２４の加熱範囲に第１の温度検出手段２６を、外部加熱源２４の加熱範囲外には第２の温度検出手段２７を設ける。第１の温度検出手段の検出値に基づき、外部加熱源２４又は内蔵加熱源２３のＯＮ／ＯＦＦを制御し、加熱回転体を定着に適した温度に維持する。また、第２の温度検出手段の検出値に基づき、内蔵加熱源又は外部加熱源のいずれかを選択して加熱回転体を加熱する。【選択図】  図４
2007108372.tif 000002
【特許請求の範囲】
【請求項１】
加熱源を内蔵し、無端状の周面が周回移動する加熱回転体と、
前記加熱回転体の周面に圧接され、該加熱回転体との間を通過する転写材を前記加熱回転体の周面に押圧する加圧部材とを有し、
前記加熱回転体の外部には、該加熱回転体の周面の幅方向において該加熱回転体に内蔵された前記加熱源（以下、「内蔵加熱源」という）が加熱する範囲よりも狭い範囲を加熱する外部加熱源が配置され、
前記外部加熱源がＯＮ状態とされるときには、前記内蔵加熱源はＯＦＦ状態となるように制御されることを特徴とする定着装置。
【請求項２】
前記加熱回転体周面の幅方向における該外部加熱源の加熱範囲内で該加熱回転体の外周部の温度を検出する第１の温度検知手段を有し、
該第１の温度検知手段の検出値が所定の範囲内となるように前記外部加熱源又は前記内蔵加熱源のＯＮ／ＯＦＦが制御されるものであることを特徴とする請求項１に記載の定着装置。
【請求項３】
前記加熱回転体周面の幅方向における該外部加熱源の加熱範囲外で該加熱回転体の外周部の温度を検出する第２の温度検知手段を有し、
前記外部加熱源又は前記内蔵加熱源のいずれをＯＮ状態とするかの選択が、前記第２の温度検知手段の検出値に基づいて制御されるものであることを特徴とする請求項１又は請求項２に記載の定着装置。
【請求項４】
前記外部加熱源又は前記内蔵加熱源のいずれをＯＮ状態とするかについての選択は、
搬送される転写材のサイズに基づいて制御されるものであることを特徴とする請求項１又は請求項２に記載の定着装置。
【請求項５】
静電電位の差による潜像にトナーを転移してトナー像を形成する像形成手段と、
前記トナー像を直接に転写材に又は中間転写体を介して転写材に転写する転写手段と、
前記トナー像が転写された前記転写材を、互いに圧接される加熱回転体と加圧部材との間を通過させて、前記トナー像を加熱定着する定着手段と、を有し、
前記加熱回転体の内部には、該画像形成装置で使用可能な最大サイズの転写材の幅を加熱する内蔵加熱源を有し、
前記加熱回転体の外部には、前記最大サイズよりも狭い範囲を加熱する外部加熱源を有し、
前記外部加熱源がＯＮ状態とされるときには、前記内蔵加熱源はＯＦＦ状態となるように制御されることを特徴とする画像形成装置。
【発明の詳細な説明】
【技術分野】
【０００１】
本発明は、プリンタ、複写機、ファクシミリ等の画像記録装置において用いられ、転写材上に担持された未定着トナー像を加熱加圧し、転写材に定着させる定着装置、及びこの定着装置を用いた画像形成装置に関する。
【背景技術】
【０００２】
トナーを用いて可視像を形成する画像形成装置の定着装置としては、加熱回転体としての加熱ロールと加圧部材としての加圧ロールとを有するものが広く用いられている。この定着装置では、加熱ロールと加圧ロールとが互いに圧接された状態で回転駆動され、圧接部（ニップ部）に転写材を送り込んで、この転写材に担持されている未定着トナー像を加熱・圧着するものである。
上記加熱ロールは、アルミニウムなどの中空円筒状の芯金と、その内部に設けられた加熱源、例えばハロゲンランプとを有しており、加熱ロールの周面がトナー像の定着に適した温度に加熱される。
【０００３】
このような加熱ロールは、画像形成装置の使用開始時には、所定の温度まで予備加熱（ウオームアップ）を行う必要があり、この予備加熱時間の短縮が求められている。また、加熱のための電力消費量を少なく抑えることも要請される。このため、加熱ロールは、円筒状の芯金の肉厚を薄くし、熱容量を小さくするとともに、内蔵された加熱源から円筒状の芯金への熱移動を効率よく行う必要がある。さらに、熱容量を小さくすると、転写材のサイズが小さいときに、転写材の通過領域と非通過領域とで加熱ロールの周面温度に差が生じやすくなる。つまり、転写材の通過領域では転写材に移動する熱量があり、一様に加熱すると温度差が生じる。
【０００４】
このような状況において、特許文献１、特許文献２には、加熱ロールの内部に加熱領域が異なる複数のヒータを備える定着装置が開示されている。この装置は、ウオームアップ時、小サイズの転写材使用時、大サイズの転写材使用時のそれぞれに応じて、これら複数のヒータのＯＮ／ＯＦＦを制御し、加熱ロールの軸線方向に生じる温度差を低減しようとするものである。
【特許文献１】特開平８−２２０９３２号公報
【特許文献２】特開２００１−２０１９７８号公報
【発明の開示】
【発明が解決しようとする課題】
【０００５】
しかしながら、特許文献１又は特許文献２に記載の装置では、加熱ロールの内部に加熱源として複数のヒータを備えているので、一つのヒータがＯＮ状態とされたとき、他のヒータがＯＮ状態となったヒータからの放射熱を吸収したり、ＯＮ状態のヒータからの放射熱を遮ったりして加熱ロールの周面に対して温度ムラを発生させる。このため、ウオームアップ時間の短縮を阻害することがある。また、複数のヒータを加熱ロールに内蔵するので、加熱ロールの組立作業が難しくなり、作業中にヒータが接触して破損することもある。このため、組立工程の簡易化も求められている。
【０００６】
本発明は、かかる課題を解決するためになされたものであり、その目的は、効率よく加熱回転体を加熱してウオームアップのための時間を短縮することができる定着装置及びこの定着装置を用いた画像形成装置を提供することである。
【課題を解決するための手段】
【０００７】
上記課題を解決するために、  加熱源を内蔵し、無端状の周面が周回移動する加熱回転体と、  前記加熱回転体の周面に圧接され、該加熱回転体との間を通過する転写材を前記加熱回転体の周面に押圧する加圧部材とを有し、  前記加熱回転体の外部には、該加熱回転体の周面の幅方向において該加熱回転体に内蔵された前記加熱源（以下、「内蔵加熱源」という）が加熱する範囲よりも狭い範囲を加熱する外部加熱源が配置され、  前記外部加熱源がＯＮ状態とされるときには、前記内蔵加熱源はＯＦＦ状態となるように制御されることを特徴とする定着装置を提供するものである。
【０００８】
この定着装置が有する加熱回転体は、内蔵加熱源からの放射熱が他の加熱源等に吸収されたり、遮られたりすることがないので、この放射熱が内部から加熱回転体に効率よく供給され、迅速にウオームアップすることができる。また、周面の幅方向に熱の供給を均一におこなうことができ、周面を均一に加熱にすることができる。さらに、外部加熱源は、小サイズの転写材の通紙幅に対応するものとし、この外部加熱源がＯＮとなるときは内蔵加熱源はＯＦＦとなるように制御する。そして、これらの加熱源を適宜に切り換えることによって、サイズの小さい転写材にトナー像を定着する場合であっても、通紙領域と非通紙領域の温度差が過大になるのを防止することができる。
また、加熱回転体の組立時においては、一つの加熱源のみを内部に配置すればよく、組立が容易となる。
【０００９】
また、この加熱回転体は、周面の幅方向における外部加熱源が加熱する範囲内に、周面の温度を検出する第１の温度検出手段を備えるものとし、この検出値が所定の範囲内に維持されるように外部加熱源又は内蔵加熱源のＯＮ／ＯＦＦを制御することができる。これにより、小サイズの転写材が通過し、外部加熱源によって加熱回転体に熱を供給するときも、大サイズの転写材が通過して内部加熱源によって加熱を行うときにも、加熱回転体の周面温度を良好な定着が可能である温度（以下「定着可能温度」という）に維持することができる。
【００１０】
この加熱回転体は、前記第１の温度検出手段に加えて、第２の温度検出手段を有するものとし、この第２の温度検出手段が、外部加熱源の加熱範囲外に配置されるものとすることができる。そして、この第２の温度検出手段による検出値に基づいて、使用する加熱源の選択すなわち前記外部加熱源への通電又は前記内蔵加熱源への通電の切り換えを行う。これにより、小サイズの転写材を使用するときに、転写材が通過する領域外が過度に加熱されるのを防止し、加熱回転体の周面の幅方向における温度差を小さく抑えることが可能となる。
【００１１】
また、この定着装置では、搬送される転写材のサイズに基づいて、外部加熱源又は内蔵加熱源の切り換えを制御することもできる。つまり、外部装置から画像形成装置に入力される画像情報、画像読み取り装置等によって読み取られた画像情報又は画像形成装置の操作者が入力した転写材のサイズについての情報等に基づいて、外部加熱源又は内蔵加熱源のいずれかを選択するように切り換えることができる。これにより、使用される転写材のサイズが小さいときには狭い範囲を加熱する外部加熱源を使用し、大サイズの転写材が使用されるときには内部加熱源を使用して加熱回転体の一部が過度に加熱されるのを防止することができる。また、電力の消費量を低減することもできる。
【００１２】
上記のような定着装置を備えた画像形成装置では、加熱回転体に内蔵される内蔵加熱源からの放射熱は効率よく加熱回転体に供給され、迅速にウオームアップが可能となって、装置の使用開始時における待ち時間が短縮される。また、加熱回転体の周面の幅方向における温度差を抑えることができるとともに、不必要な部分を高温にまで加熱するための電力使用を排除し、装置全体の使用電力量を低減することができる。
【発明の効果】
【００１３】
以上説明したように、本願発明に係る定着装置及びこの定着装置を用いた画像形成装置では、加熱回転体が内蔵加熱源を備えるととともに、この内蔵加熱源が加熱する範囲よりも狭い範囲を加熱する外部加熱源は、加熱回転体の外部に設けられているので、内蔵加熱源によりウオームアップする場合に、内蔵加熱源の熱を吸収したり、遮ったりするものがなく、迅速にウオームアップを行うことができる。また、外部加熱源は使用される転写材の小サイズのものに対応して加熱範囲を設定し、内蔵加熱源と外部加熱源とのいずれかを選択するように切り換えて加熱回転体を加熱することができる。これにより、転写材が通過する領域を定着に適切な温度に維持するともに、周面の幅方向における温度差が過大となるのを防止することができる。
【発明を実施するための最良の形態】
【００１４】
以下、本願発明の実施の形態を図に基づいて説明する。
図１は、本願発明の一実施形態である画像形成装置の概略構成図である。
この画像形成装置は、原稿から画像情報を読み取る画像読み取り装置１と、パーソナルコンピュータ等の外部機器と通信回線によって接続され、画像情報を受信する受信部２と、上記受信部２又は画像読み取り装置１からの画像情報をデジタル画像信号に変換し、画像処理等を行う画像記録制御部３と、画像記録制御部３から出力される情報に基づいて画像を形成する画像形成部４とを備えている。
【００１５】
画像形成部４は、一様帯電後に像光が照射されて表面に静電電位の差による潜像が形成される円筒状の感光体ドラム１１を備えており、この感光体ドラム１１の周囲に、感光体ドラム１１の表面を一様に帯電させる帯電装置１２と、感光体ドラム１１に像光を照射して表面に潜像を形成する露光装置１３と、感光体ドラム１１上の潜像にトナーを選択的に転移させてトナー像を形成する現像装置１４と、感光体ドラム１１上に形成されたトナー像を記録シート（転写材）に転写する転写装置１５と、トナー像を転写した後の感光体ドラム１に残留するトナーを除去するクリーニング装置１６と、感光体ドラムを除電して電位を初期化する除電露光装置１７と、を備えている。
【００１６】
上記感光体ドラム１１は、金属製ドラムの表面にSe、a-Si、a-SiC、Cds等の各種無機感光材料、有機感光材料、アモルファスセレン系感光材料、アモルファスシリコン系感光材料等からなる感光体層を形成したものを用いることができる。
【００１７】
上記帯電装置１２は、ステンレススチール、アルミニウム等の導電性を有する金属のロールに高抵抗材料のコーティングを施したものであり、感光体ドラム１１に当接され、従動回転するようになっている。そして、所定の電圧が印加されることにより、該ロールと感光体ドラム１１との接触部近傍における微小間隙内で継続的な放電が生じ、感光体ドラム４の表面をほぼ一様に帯電するものである。
【００１８】
上記露光装置１３は、画像記録制御部３から出力される画像信号に基づいて画素毎に点滅するレーザー発生装置を備えるものであり、ポリゴンミラーによって感光体ドラム１１の周面を露光走査するものである。これにより感光体ドラム１１の周面上で露光部の電位が減衰し、静電電位の差による潜像が形成される。
【００１９】
上記現像装置１４は、トナーの薄層が表面に形成された現像剤担持体を感光体ドラム１１と近接・対向する位置に有するものであり、この現像剤担持体と感光体ドラム１１との間に生じている電界内で、潜像にトナーを転移して可視像を形成するものである。
【００２０】
上記転写装置１５は、感光体ドラム１１と対向するように配置され、感光体ドラム１１との間に電界を形成するものであり、感光体ドラム１１と当接して搬送される記録シートに感光体ドラム上のトナー像を静電的に転移させるものである。
【００２１】
上記転写装置１５の下流側には、記録シート上のトナー像を加熱及び加圧して記録シートに圧着する定着装置１８が設けられている。そして、定着装置１８の下流側には記録シートを装置内から送り出す排紙ローラ（図示せず）が設けられており、この排紙ローラが記録シートを排紙トレイへ排出するものとなっている。
【００２２】
上記定着装置１８は、図２及び図３に示すように、中心軸回りに回転が可能に支持された加熱ロール２１と、この加熱ロール２１と平行に圧接されて回転する加圧ロール２２と、加熱ロール２１に内蔵された内蔵加熱源２３と、加熱ロール２１の外側に非接触で配置された外部加熱源２４と、外部加熱源の背面側を覆うように設けられた反射板２５と、外部加熱源２４の加熱幅内で加熱ロール２１の外周面の温度を検出する第１の温度検出手段２６と、外部加熱源２４の加熱幅の範囲外で加熱ロール２１の外周面の温度を検出する第２の温度検出手段２７と、で主要部が構成されている。そして、回転駆動される加熱ロール２１と加圧ロール２２との圧接部に未定着のトナー像を担持した記録シートＰ（転写材）が送り込まれると、加熱ロール２１からの熱移動によってトナー像を加熱するとともに加圧して記録シート上に圧着するものである。
【００２３】
上記加熱ロール２１は、導電性を有する金属製の円筒状芯金２１ａと、この芯金２１ａに積層された表面離型層２１ｂとを備えており、フランジ及び支持軸（図示せず）により画像形成装置の本体フレームに回転が可能に支持されている。
【００２４】
加熱ロール２１の円筒状芯金２１ａは、熱伝導性や剛性にすぐれたアルミニウム、鉄及びステンレス等の金属等を用いることができる。本実施例では外径が６５ｍｍのアルミニウムからなる円筒体を芯金として用い、表面離型層２１ｂは、厚さ３０μｍの炭化ケイ素粉末を分散したＰＴＦＥ樹脂を芯金の周面に粉体塗装した後、焼き付けて形成している。
【００２５】
内蔵加熱源２３は、加熱ロール２１の軸線方向の長さとほぼ同じ長さのハロゲンランプであり、加熱ロール２１に軸線方向のほぼ全長にわたって熱を供給するものである。
【００２６】
外部加熱源２４には、加熱ロール２１の外周面に対向して非接触に配置されたハロゲンランプが用いられており、このハロゲンランプから放射された熱によって加熱ロールを加熱するものとなっている。また、加熱ロールと対向する面と反対側に設けられた反射板２５によってハロゲンランプからの放射熱を加熱ロール２１の周面に効率よく照射するように構成されている。そして、図２に示すように、加熱ロール２１と加圧ロール２２とが圧接されているニップ部の上流側に配置され、加圧ロール２２との圧接部に到達する前の周面を効率よく加熱する。また、外部加熱源２４は、内蔵加熱源２３が加熱する範囲よりも狭い範囲を加熱するものであり、小サイズの記録シートが使用されたときの通紙領域に熱を供給するものとなっている。なお、本実施形態の画像形成装置は、記録シートの位置をその中心で制御する、いわゆるセンターレジとなっているので、外部加熱源２４は加熱ロール２１の軸線方向における中央付近の所定幅を加熱するものとなっている。一方、記録シートの位置をその側縁で制御する、いわゆるサイドレジの画像形成装置では、加熱ロールの軸線方向における一端から所定の幅を加熱するように配置される。
【００２７】
第１の温度検出手段２６は、図３に示すように、加熱ロール２１の軸線方向におけるほぼ中央部で加熱ロール２１の外周面に接触して配置されている。つまり、この画像形成装置で用いられるすべてのサイズの記録シートが通過する領域内で、加熱ロール２１の外周面上の温度を検出するものとなっている。そして、図４に示すように、この第１の温度検出手段２６の検出値に基づいて第１のスイッチ２８が動作するものとなっている。この第１のスイッチ２８は、内蔵加熱源２３又は外部加熱源２４への電力供給のＯＮ／ＯＦＦを制御するものであり、温度が所定の温度範囲より低下するとＯＮ状態とし、温度が所定の範囲より高くなるとＯＦＦ状態とするように設定されている。
【００２８】
第２の温度検出手段２７は、外部加熱源２４の加熱幅の範囲外において加熱ロール２１の外周面の温度を検出するように配置されている。つまり、第２の温度検出手段２８によって温度が検出される位置は、大サイズの記録シートが通過する範囲であるが、小サイズの記録シートが通過する範囲からはずれ、側縁に近い位置となっている。そして、この第２の温度検出手段２７の検出値に基づいて第２のスイッチ２９が動作するものとなっており、この第２のスイッチ２９の切り換えによって電源３０から内蔵加熱源２３又は外部加熱源２４のいずれか一方に電力を供給するものとなっている。
【００２９】
上記第１の温度検出手段及び第２の温度検出手段は、加熱ロール２１の周面に接触した状態で温度を測定するものであり、ゼーベック効果を利用した熱電対や、抵抗の温度係数が大きい素子を用いたサーミスタ等が用いられる。これらの接触式の温度センサは安価であるため、装置のコストを低減することができる。
【００３０】
また、本実施形態では、外部加熱源２４として加熱ロール２１の外周面に非接触のハロゲンランプを用いているが、加熱源はハロゲンランプに限る必要はない。また、加熱ロール２１の周面に接触させて熱の供給をすることもできる。さらに、本実施形態では加熱回転体として加熱ロール２１を用いているが、エンドレスベルト等を用いることもできる。
【００３１】
上記加圧ロール２２は、金属製の円筒状芯金２２ａを芯材とし、該芯金の表面にスポンジやゴムなどの弾性層２２ｂが設けられ、その表面にフッ素樹脂からなる離型層２２ｃが積層されたものである。本実施形態では、金属製の芯金に弾性層として厚さ１２ｍｍのシリコーンゴム層が形成されており、３０μｍのカーボンを分散した導電性ＰＦＡ樹脂チューブが離型層として被覆されている。
【００３２】
次に、上記画像形成装置及び定着装置の動作について説明する。
画像読み取り装置１、パーソナルコンピュータ等の外部機器が通信回線によって接続された受信部２から画像記録制御部３に画像情報が入力されると、この画像情報に基づいて画像処理等が行なわれる。そして、画像形成部４では処理されたデジタル画像信号に基づいてトナー像が形成される。このとき、画像情報には画像を記録する記録シートのサイズ情報も含まれている。
【００３３】
画像形成部４では、帯電装置１２によって回転する感光体ドラム１１の周面が一様な負極性に帯電される。そして、露光装置１３は、画像記録制御部３から入力された画像信号に対応してレーザービームを射出し、感光体ドラム１１の周面上を走査して画像に対応する静電潜像が形成される。静電潜像は感光体ドラム１１の回転により、現像装置１４との対向位置に搬送され、トナーが露光部に転移されてトナー像が形成される。感光体ドラム１１上のトナー像は、感光体ドラム１１の回転により転写装置１５との対向位置に搬送される。また、これとともに用紙トレイ（図示しない）からは記録シートが所定のタイミングで搬送され、感光体ドラム１１上のトナー像と当接される。トナー像は、転写装置１５が形成する電界内で記録シートに転写され、定着装置１８に送り込まれる。定着装置では未定着トナー像を担持する記録シートが加熱及び加圧されて、軟化したトナー像が記録シート上に圧着される。
【００３４】
上記定着装置１８では、画像形成装置が駆動されるとほぼ同時に加熱ロール２１の内蔵加熱源２３がＯＮ状態にされウオームアップが開始される。このとき、第１の温度検知手段２６が温度を測定し、予め設定されている所定の温度つまり適切なトナー像の定着が可能な温度になるまで加熱される。そして、所定の温度に到達すると第１のスイッチ２８により内蔵加熱源２３への電力供給がＯＦＦ状態とされる。
【００３５】
第１の温度検出手段２６により検知された温度が予め設定されている定着可能温度になると画像情報に応じてトナー像が形成され、このトナー像を担持した記録シートＰが定着装置１８に送り込まれ、定着動作が行われる。このとき加熱ロール２１から記録シートに熱の移動が生じ、加熱ロール２１の温度は下降する。第１の温度検出手段２６は、通紙領域の温度が下降したことを検知すると、第１のスイッチ２８をＯＮ状態として加熱ロールを再度加熱する。このような第１のスイッチ２８の制御により、加熱ロール２１の通紙領域は予め設定されている定着可能温度の範囲内に維持される。
【００３６】
上記のようなトナー像の定着動作が行われるとき、記録シートが加熱ロール２１の軸線方向のほぼ全長と接触する場合すなわち記録シートのサイズが大きい場合には、加熱ロール２１は軸線方向の全域でほぼ均等に加熱され、ほぼ均等に記録シートＰへの熱移動が生じて、温度分布は軸線方向にほぼ均一となる。したがって、第２の温度検出手段２７によって検出される温度は、第１の温度検出手段２６の検出値とほぼ同じとなっている。
【００３７】
一方、定着装置に送り込まれる記録シートのサイズが小さい場合にも、第１の温度検出手段２６の検出値に基づいて内蔵加熱源２３のＯＮ／ＯＦＦが制御され、加熱ロール２１の軸線方向における中央部すなわち通紙領域の温度が制御される。これによって小さいサイズの記録シートを用いる場合にも、良好な定着が行われる。しかし、加熱ロール２１の両端付近すなわち記録シートのサイズが小さいことによって記録シートが通過しない領域では記録シートに熱移動が生じることはなく、温度の下降が少ない。これに対して内蔵加熱源２３からの熱の供給は、加熱ロール２１の軸線方向にほぼ均一に行われるので、両端付近の温度が中央部より上昇する。そして、第２の温度検出手段２７によって非通紙領域の温度が所定の値まで上昇したことが検知されると、この検知信号に基づいて第２のスイッチ２９が切り換えられ、電力の供給が内蔵加熱源２３から外部加熱源２４に切り換えられる。外部加熱源２４は、小サイズの記録シートの幅に対応した範囲に熱を供給するものとなっており、加熱ロール２１の両端部の温度上昇が抑えられるとともに、記録シートが通過する範囲には必要な熱の供給が行われる。
【００３８】
その後、記録シートが通過する中央部の温度は、内蔵加熱源２３によって加熱されるときと同様に第１の温度検出手段２６によって検出され、所定の温度範囲となるように第１のスイッチ２８のＯＮ／ＯＦＦによって制御される。そして、第２の温度検出手段２７による検出値が所定値よりも下回った場合は、第２のスイッチ２９により、外部加熱源２４をＯＦＦ状態にし、内蔵加熱源１３をＯＮ状態とするように加熱源が再び切り換えられる。これにより、加熱ロール２１の周面は軸線方向にほぼ均一な温度に維持される。
【００３９】
なお、画像の形成及び記録シートの供給がなされずに待機状態の場合は、第１の温度検知手段２６により検知された値に基づいて、第１のスイッチ２８が制御され、内蔵加熱源２３からの熱の供給又は停止が制御されている。これにより、加熱ロール２１は全長にわたって、トナー像の定着時より低い温度に維持される。この待機時の設定温度は、短い時間で定着可能な温度まで上昇させることができる温度であって、この温度に維持するための電力消費量ができるだけ少なくなるように設定される。
【００４０】
このように、第１の温度検出手段２６による検出値に基づいて、第１のスイッチ２８が制御され、第２の温度検出手段２７による検出値に基づいて、第２のスイッチ２９が制御される。これにより、供給される記録シートのサイズが異なっても、加熱ロール２１の周面の温度は、軸線方向に小さい温度差に維持することができ、安定した画像定着を行うとともに、加熱ロールの過加熱を防止することができる。
【００４１】
以上に説明した実施の形態では、加熱ロールの端部の温度を検出する第２の温度検出手段２７を設け、この検出値に基づいて外部加熱源２４又は内蔵加熱源２３の選択を制御するものであるが、画像情報に基づいて加熱源の選択を制御することもできる。例えば、画像記録制御部３から出力される記録シートのサイズに関する情報に基づき、大サイズの記録シートが供給されるときには内蔵加熱源２３をＯＮ状態にする。また、小サイズの記録シートが連続して供給される場合は、内蔵加熱源２３をＯＦＦ状態とし、外部加熱源２４をＯＮ状態に切り換える。
【図面の簡単な説明】
【００４２】
【図１】本願発明の一実施形態である画像形成装置を示す概略構成図である。
【図２】本願発明の一実施形態である定着装置を示す概略断面図である。
【図３】図２の定着装置が備える加熱源を示す概略斜視図である。
【図４】図２の定着装置における加熱ロールの加熱状態を制御する構成を示す概略図である。
【符号の説明】
【００４３】
１：画像読み取り装置、    ２：受信部、    ３：画像記録制御部、    ４：画像形成部、
１１：感光体ドラム、    １２：帯電装置、    １３：露光装置、    １４：現像装置、    １５：転写装置、    １６クリーニング装置、    １７：除電露光装置、    １８：定着装置、
２１：加熱ロール、    ２２：加圧ロール、    ２３：内蔵加熱源、    ２４：外部加熱源、    ２５：反射板、    ２６：第１の温度検出手段、    ２７：第２の温度検出手段、    ２８：第１のスイッチ、    ２９：第２のスイッチ、    ３０：電源、
【図１】
2007108372.tif 000003
【図２】
2007108372.tif 000004
【図３】
2007108372.tif 000005
【図４】
2007108372.tif 000006